(57)【要約】【課題】貯蔵物の荷崩れを防止できると共に、貯蔵物の搬出入も容易に行える貯蔵庫を提供する。【解決手段】前面が開口部２となった箱本体３と、開口部２を開閉する２枚の扉４および５と、開口部２を上下に縦断する補助部材であって、扉４および５より内側で水平方向Ｘにスライドする荷崩れ防止の柱１１ａおよび１１ｂとを有する貯蔵庫１を提供する。庫内６に積み上げられた貯蔵物１０を柱１１ａおよび１１ｂで常に支持できるので、扉４および５に貯蔵物１０が接することはなく、扉４および５はいつでも自由に開くことができ、また、荷崩れにより貯蔵物１０が飛び出してくることもない。【選択図】        図５
2004350796.tif 000002
【特許請求の範囲】
【請求項１】
前面が開口部となった箱本体と、
前記開口部を開閉する少なくとも１枚の扉と、
前記開口部の一部を上下にほぼ縦断するように配置され、前記扉より内側で水平方向にスライドする補助部材とを有する貯蔵庫。
【請求項２】
請求項１において、前記扉はスライド式である貯蔵庫。
【請求項３】
請求項２において、前記補助部材は、前記扉と連動してスライドする貯蔵庫。
【請求項４】
請求項２において、前記補助部材は、前記扉がある開度に達すると、前記扉に連動してスライドする貯蔵庫。
【発明の詳細な説明】
【０００１】
【発明の属する技術分野】
本発明は、庫内に収納した貯蔵物の荷崩れを防止可能な貯蔵庫に関するものである。
【０００２】
【従来の技術】
玄米や豆類などが収容された袋体などの貯蔵物を貯蔵する貯蔵庫が知られている。庫内に貯蔵物が積み上げられた状態で収納される場合、なんらかの要因で庫内で荷崩れが生じ、貯蔵物が扉に接する可能性がある。図１０に示すように、スライド式の２枚の扉（ドア）１０１および１０２で箱本体１０３の開口部１０４を開閉するタイプの貯蔵庫１００では、貯蔵物が扉に接すると扉が開かなくなる可能性がある。また、旋回式の扉で箱本体の開口部を開閉する貯蔵庫や、箱本体に対して扉を着脱できる貯蔵庫であれば、貯蔵物が扉に接すると扉を開けたときに荷が飛び出す可能性がある。
【０００３】
【特許文献１】
特開２００２−２５３３７０号公報
【０００４】
【発明が解決しようとする課題】
図１０に示した貯蔵庫１００では、図１１に示すように、庫内１０５に積み上げられた貯蔵物１０が扉１０１に接すると、扉１０１に負荷がかかり、扉１０１を開くのが困難になる。また、扉１０２に荷が寄りかかった場合も同様である。さらに、スライド式の扉の場合は、２枚の扉１０１および１０２の段違いの部分に貯蔵物１０が接すると貯蔵物１０が邪魔になって内扉１０２は開けない。
【０００５】
このような荷崩れを防止するために、図１２および１３に示すように、庫内１０５に荷崩れ防止用の柱１０６を設けることが考えられる。また、特開２００２−２５３３７０号公報では、不使用時の棚を水平方向に庫内前面にボルトで固定して荷崩れ防止ガードとして機能させている。しかしながら、いずれの方法であっても、荷崩れ防止用の柱や部材が貯蔵物の搬出入の際に邪魔になる。これらは、ボルトなどにより着脱可能なものであるが、貯蔵物の搬出入の際に、その都度、着脱するのは手間であり、荷崩れ防止用に用意されていても取り付ける手間を惜しんで実際には取り付けられないことも多い。その結果、荷崩れが発生したときに扉が開かなくなったり、荷が飛び出したりするトラブルが発生する。
【０００６】
そこで、本発明においては、貯蔵物の荷崩れを防止できると共に、貯蔵物の搬出入も容易に行え、さらに、手間を惜しんで荷崩れが発生してしまうようなことも未然に防止できる貯蔵庫を提供することを目的としている。
【０００７】
【課題を解決するための手段】
このため、本発明においては、庫内に上下方向に縦断する補助部材を設けると共に、その補助部材を水平方向にスライド可能とし、補助部材により荷崩れを防止すると共に、補助部材が取り付けられたままの状態で荷物の搬入および搬出が容易にできるようにする。すなわち、本発明の貯蔵庫は前面が開口部となった箱本体と、開口部を開閉する少なくとも１枚の扉と、開口部の一部を上下にほぼ縦断するように配置され、扉より内側で水平方向にスライドする補助部材とを有する。
【０００８】
本発明の貯蔵庫では、開口の一部を塞ぐように上下方向に延びる補助部材が設けられているので、庫内に積み上げられた貯蔵物を、上から下まで扉の内側で扉に接しないように支持できる。それと共に、貯蔵物の姿勢が多少崩れた場合でも、補助部材によりに貯蔵物が扉に接触しないように支持できる。このため、スライド式の扉を有する貯蔵庫においては、貯蔵物の状態を荷崩れしない安定した状態に保持できるので、扉をスライドして開口部を開くことができる。また、貯蔵物の姿勢がなんらかの要因で多少変動しても、補助部材により支持されるので、扉の開閉に影響は及ぼさない。旋回式の扉または着脱式の扉の貯蔵庫においても、貯蔵物を補助部材で扉の内側で安定して支持できるので、扉を開いたとたんに荷物が落下するという事態も未然に防止できる。
【０００９】
さらに、補助部材は、開口部の一部を上下にほぼ縦断するように配置される部材であれば良く、棒状または柱状、さらには、枠状などの部材が採用できる。そして、このような開口部の一部を上下に縦断するように配置された補助部材であれば、扉を開けた後に、補助部材に接している貯蔵物の姿勢を直すことが可能であり、扉を開けたときに補助部材に貯蔵物が接していてもその状態を修正して補助部材を容易にスライドできる。したがって、庫内に貯蔵物を搬入したり、庫内の貯蔵物を搬出する作業に邪魔にならない位置に補助部材を容易に移動でき、作業が終了したら補助部材を荷崩れを防止する位置に容易に復帰できる。したがって、本発明においては、荷崩れ防止用の部材を着脱する必要はなく、庫内に取り付けたままの状態で水平方向にスライドさせるだけで良い。このため、本発明の補助部材を備えた貯蔵庫においては、補助部材が搬入および搬出の作業の妨げにならず、手間もかからず、さらに取り外されることもないので、補助部材により確実に荷崩れを防止できる。
【００１０】
箱本体の開口部を開閉する扉は、スライド式、旋回式、着脱式のいずれの方式であっても良い。さらに、開口部が複数の扉によって開閉される貯蔵庫に限定されずに、１枚の扉で開口部を開閉する貯蔵庫にも本発明を適用できる。また、複数の扉で開口部を開閉する場合は、スライド式や旋回式の扉を組み合わせた構造とすることも可能である。
【００１１】
スライド式の扉においては、補助部材が水平方向にスライド可能になっているので、スライド式の扉を設けることにより、扉と連動して補助部材を水平方向にスライドする構造を採用できる。扉に連動して補助部材がスライドすれば、補助部材は、扉を開いたときに貯蔵物の搬出入の邪魔にならない位置に自動的に退避でき、扉を閉じたときに荷崩れを防止できる位置に自動的に復帰できる。
【００１２】
扉と連動して補助部材をスライドさせる場合は、扉がある開度に達すると、扉に連動して補助部材がスライドするようにすることが望ましい。貯蔵物が補助部材に接した状態では、補助部材を直ぐにスライドさせることは困難であり、扉がある程度開いた後に補助部材がスライドするのであれば、扉を開けて補助部材に接した貯蔵物の姿勢を修正できる。
【００１３】
【発明の実施の形態】
以下に図面を参照して本発明をさらに詳しく説明する。図１に本発明に係る貯蔵庫の外観を示してあり、図２に貯蔵庫を平面（水平面）で切った断面を示してある。図１には、２枚のスライド式の扉の１つをスライドさせて、これらが重なった状態で箱本体の開口部を開いている様子を示している。貯蔵庫１は、前面が開口部２となった断熱性の箱本体３と、開口部２を開閉する２枚のスライド式の扉４および５とを有している。これらの扉４および５は互いにスライドして重なり開口部２が開くように段違いに配置されている。したがって、これらの扉４および５を水平方向Ｘにスライドさせることにより、開口部２を開き、箱本体３の内部（庫内）６の適当な位置に貯蔵物１０を搬出入できる。箱本体３の上部には、冷却装置、暖房装置、加湿装置のいずれか、あるいは全てを含む環境制御ユニット７が取り付けられており、庫内６の温度や湿度などの環境を所望の条件に制御できる。
【００１４】
内扉５より内側には、庫内６に収容された貯蔵物１０の荷崩れを防止するための２本の荷崩れ防止用の補助柱１１ａおよび１１ｂが、床面６ａおよび天井６ｂにそれぞれ配置されたレール１２により上下が支持され、さらに、水平方向Ｘにスライド可能な状態で設置されている。レール１２は、扉を閉めたときに各々の扉４および５のほぼ中央近傍まで延びており、レール１２の端には柱１１ａおよび１１ｂの移動を停止するストッパ１９が設けられている。したがって、柱１１ａおよび１１ｂをレール１２の端まで移動すると、柱１１ａおよび１１ｂは扉４および５を開けたときの中央に位置するようになっている。
【００１５】
荷崩れ防止用の柱１１ａおよび１１ｂの本数は庫内６の水平方向の寸法や、米袋などの庫内６に収容する貯蔵物の種類や大きさなどを考慮して決定することが可能である。たとえば、図２に示したように、庫内６に所定のサイズの米袋１０を左右に並んで収容できる貯蔵庫１であれば、左に積み上げられた米袋１０の荷崩れ防止用に１本の柱１１ａを割り当て、右に積み上げられた米袋１０の荷崩れ防止用に１本の柱１１ｂを割り当てることができる。積み上げられた１列の貯蔵物に対して複数本の柱を割り当てることも可能である。
【００１６】
上下方向Ｙに延びた荷崩れ防止用の柱１１ａおよび１１ｂは、庫内６に積み上げられた貯蔵物１０を上側から下側まで支持する。したがって、積み上げられた荷物の姿勢がなんらかの要因により不安定になっても、貯蔵物１０は荷崩れ防止用の柱１１ａまたは１１ｂにより支持され、扉４および５に貯蔵物が接することはない。このため、扉４および５は、常にスムーズに動かすことができる。
【００１７】
図３に示すように、各々の荷崩れ防止用の柱１１ａおよび１１ｂは、その下端に、庫内６の床面６ａに水平方向Ｘに延びるように設けられた１本のレール１２の上を動くようにキャスター１３が設けられている。柱１１ａおよび１１ｂの上端も同様である。上端は、柱１１ａおよび１１ｂが受ける負荷によってはレールに沿って動くガイドだけでキャスターを省略することも可能である。荷崩れ防止用の柱１１ａおよび１１ｂを異なるレール上をスライドするようにしても良いが、庫内６に設けるレールの数が増え、貯蔵物の収容スペースが低減する。また、柱１１ａおよび１１ｂは扉４および５より十分に幅が狭く、柱１１ａおよび１１ｂを並べても扉４あるいは５よりも幅が狭い。したがって、柱１１ａおよび１１ｂを重ねる必要はない。したがって、柱１１ａおよび１１ｂが共通のレール１２の上をスライドする構成はスペース効率が高く経済的である。なお、貯蔵庫１においては、２枚の扉４および５も、水平方向Ｘに延びるレール１４および１５と、これらに対応するキャスター１６および１７とを組み合わせた機構により水平方向Ｘにスライドする。
【００１８】
図４に、内側の扉５を庫内側から見た様子を示してある。内扉５の内面５ａの下端には内側に突き出た２つのガイド１８が水平方向Ｘに適当な間隔を開けて設けられている。第１のガイド１８ａは内扉５が閉まった状態から開けるときに動かす水平方向Ｘの端に配置されている。第２のガイド１８ｂは、内扉５のほぼ中央に配置されている。さらに、第２のガイド１８ｂは、内扉５を開けた状態で、扉４のほぼ中央に位置しストッパ１９で止まった状態のもう一方の柱１１ｂに接しないように配置されていることが望ましい。以下で説明するように、扉５がもう一方の柱１１ｂと干渉してフルオープンできなくなる事態を避けるためである。
【００１９】
図５に内扉５を開いたときの荷崩れ防止用柱１１ａの動きを示してある。図５（ａ）に示すように、扉４および５が閉じた状態で、貯蔵物の姿勢が崩れて柱１１ａおよび１１ｂで支持されていると仮定する。この状態でも、貯蔵物は扉４および５に接していないので、図５（ｂ）に示すように、内扉５は第１のガイド１８ａが柱１１ａに接するまで開けることができる。また、扉４も開けることができる。また、扉４あるいは５を開いたとたんに貯蔵物１０が倒れたり落下してくることはない。
【００２０】
柱１１ａに接している貯蔵物１０は、図５（ｂ）の状態で、扉５を開けた隙間から姿勢を直して柱１１ａに接しないようにすることができる。また、柱１１ｂに接している貯蔵物１０は、扉４は自由に開けることができるので、扉４を開けて姿勢を直すことができる。貯蔵物１０が柱１１ａおよび１１ｂに接しないようになれば、柱１１ａおよび１１ｂはレール１２の範囲を自由にスライドする。したがって、図５（ｃ）に示すように、扉５をさらに扉４の方向にスライドすると、第１のガイド１８ａにより連動して柱１１ａは扉４の方向にレール１２の上をスライドし、扉５を開けた空間から柱１１ａを自動的に退避させることができる。これにより、開口部２から貯蔵物１０の搬出入を容易に行うことができる。
【００２１】
図６に内扉５を閉じるときの荷崩れ防止用の柱１１ａの動きを示してある。図６（ａ）に示すように、扉５を扉４の方向に完全に開いた状態では、右側のガイド１８ｂが右側の柱１１ｂを扉４の中央付近の貯蔵物１０を支持しやすい位置にスライドさせている。扉５を閉めると、図６（ｂ）に示すように、右側のガイド１８ｂが左側の柱１１ａに当たる。したがって、左側の柱１１ａは扉５と共に左側にスライドし、図６（ｃ）に示すように、扉５が完全に閉まると扉５の中央付近の貯蔵物１０を支持しやすい位置に納まる。したがって、扉５を開くのに連動して柱１１ａは、貯蔵物１０の搬出入の邪魔にならない位置まで自動的に移動し、扉５を閉じるのに連動して柱１１ａは荷崩れ防止に適した位置まで自動的に移動する。
【００２２】
図７（ａ）には扉４を開いたときの様子を示してある。荷崩れ防止用の右側の柱１１ｂにより扉４に貯蔵物１０が接することはない。したがって、扉４は常にスムーズに開くことができる。扉４を開いた状態で、柱１１ｂに貯蔵物１０が接していれば、その状態を修正でき、柱１１ｂがスライドする状態にできる。このため、図７（ｂ）に示すように、この柱１１ｂを手動でスライドさせることにより、開口部２の半分を開放することが可能であり、貯蔵物１０の搬出入を容易に行える環境を形成できる。
【００２３】
貯蔵物の搬出入を行った後には、手動で柱１１ｂを中央の支持しやすい位置まで戻すことができる。また、扉５を開くことにより、扉５の右側のガイド１８ｂで右側の柱１１ｂは扉４の中央の貯蔵物を支持しやすい位置に自動的に移動する。
【００２４】
このように貯蔵庫１では、扉４および５の内側に水平方向Ｘにスライド可能な荷崩れ防止用の柱１１ａおよび１１ｂを設けることにより、貯蔵物が扉４および５に接するのを未然に防止できる。また、この方式であれば、上下方向Ｙに延びた部材を荷崩れ防止用の部材として採用できるので、積み上げられた貯蔵物を上から下まで安定して支持できる。したがって、扉４および５を常にスムーズに開くことが可能である。
【００２５】
さらに、柱１１ａあるいは１１ｂに貯蔵物１０が接した状態であると、柱１１ａあるいは１１ｂはスライドしないが、扉４あるいは５を少なくとも貯蔵物１０の姿勢を修正できる程度には常に開けることができるので、それほどの手間をかけずに柱１１ａおよび１１ｂをスムーズにスライドできる状態にできる。したがって、柱１１ａおよび１１ｂを取り外すことなく、貯蔵物１０の搬出入を行える環境を容易に得ることができる。このため、搬出入に手間がかからないと共に、荷崩れ防止用の部材を取り付けるのを忘れてしまうようなこともなく、常に安全に扉を開閉することができる貯蔵庫を提供できる。
【００２６】
本発明においては、図８に示すように、柱１１ａおよび１１ｂを、手動でスライドさせる貯蔵庫３１を提供することが可能であり、柱１１ａおよび１１ｂを完全に手動で動かしても特に大きな手間が発生するものではない。しかしながら、上述したように、少なくとも内側の扉５に連動して柱１１ａおよび１１ｂがスライドする貯蔵庫１であれば、扉５を開け閉めするときに柱１１ａを移動する手間を省くことができる。また、柱１１ａを貯蔵物１０を支持するのに適した位置に動かすのを忘れることもなく、確実に荷崩れを防止できる。また、扉５を動かすことにより右側の柱１１ｂも扉４の中央の貯蔵物１０を支持するのに適した位置に移動できる。したがって、さらに搬出入の手間を省き、信頼性の高い貯蔵庫を提供できる。
【００２７】
なお、上記では、スライド式の扉を備えた貯蔵庫を説明したが、扉は旋回式、着脱式などのその他の方式で開口部２を開閉する扉であっても良く、異なる方式の扉を複数用いて開口部２を開閉するタイプであっても良い。たとえば、旋回式の扉とスライド式の扉を組み合わせた貯蔵庫や、図９に示すような着脱式の扉３４と旋回式の扉３５を組み合わせた貯蔵庫３２であっても良い。また、複数の扉で開口部２を開閉する代りに、１枚扉で開口部２を開閉する貯蔵庫に対しても本発明を適用できる。さらに、荷崩れ防止用の部材は、柱に限定されずに、板材、枠状の部材などの、内部の貯蔵物を支持できる程度の強度を確保でき、かつ、扉より十分に幅の狭い形状の部材であれば良い。
【００２８】
【発明の効果】
以上に説明したように、本発明においては、庫内に上下方向に縦断する補助部材であって、水平方向にスライド可能な補助部材を設けるようにしている。この補助部材により、庫内に積み上げた貯蔵物がいずれの箇所で姿勢を崩しても、貯蔵物を補助部材で支持できる。したがって、貯蔵物が扉に接することはなく、扉を常にスムーズに開くことができる。それと共に、扉を開いた際に貯蔵物が落下してくるのを防止できる。したがって、貯蔵物の荷崩れにより開閉できなくなったり、開けたとたんに貯蔵物が崩れ落ちたりするのを防止でき、使い勝手が良く、常に容易に、そして、安全に貯蔵物を搬出入可能な貯蔵庫を提供できる。
【図面の簡単な説明】
【図１】本発明に係る貯蔵庫の外観を示す図である。
【図２】図１に示す貯蔵庫の横方向の断面図である。
【図３】図１に示す貯蔵庫において、扉および荷崩れ防止用の柱をスライドさせる機構を示す図である。
【図４】内扉および荷崩れ防止用の柱を庫内側から見たときの図である。
【図５】図１に示す貯蔵庫の内扉を開いたときの荷崩れ防止用の柱の動きを説明するための図である。
【図６】図１に示す貯蔵庫の内扉を閉じたときの荷崩れ防止用の柱の動きを説明するための図である。
【図７】図１に示す貯蔵庫の外扉を開いたときの様子を示す図である。
【図８】扉と独立してスライドする荷崩れ防止用の柱を有する貯蔵庫を示す断面図である。
【図９】着脱式の扉と旋回式の扉で箱本体の開口部を開閉する貯蔵庫の外観を示す図である。
【図１０】従来の貯蔵庫の外観を示す図である。
【図１１】図１０に示す貯蔵庫において庫内の貯蔵物が荷崩れを起こしたときの様子を示す図である。
【図１２】庫内に固定された荷崩れ防止用の柱が設けられている貯蔵庫の外観を示す図である。
【図１３】図１２に示す貯蔵庫の断面図である。
【符号の説明】
１、３１、３２  貯蔵庫
２    開口部  ３    箱本体
４    外扉  ５    内扉
１１ａ、１１ｂ    補助柱（補助部材）
１８ａ、１８ｂ    ガイド
【図１】
2004350796.tif 000003
【図２】
2004350796.tif 000004
【図３】
2004350796.tif 000005
【図４】
2004350796.tif 000006
【図５】
2004350796.tif 000007
【図６】
2004350796.tif 000008
【図７】
2004350796.tif 000009
【図８】
2004350796.tif 000010
【図９】
2004350796.tif 000011
【図１０】
2004350796.tif 000012
【図１１】
2004350796.tif 000013
【図１２】
2004350796.tif 000014
【図１３】
2004350796.tif 000015